(57)【要約】      （修正有）【課題】マスク・シールドを一体化して、季節を問わず、マスクとシールドをつけることができる帽子を提供する。【解決手段】帽子１に硬質プラスチックのフェイスシールド２とその側面にマスクの働きを持つ格子状のプラスチックに挟んだ不織布３を配置し、その皮膚側はシリコンゴム４で皮膚に密着させ、気密性をあげる。顔の前にシールドとの空間ができ、マスクの圧迫感・体温上昇の副作用がないことで、夏の電車内などに利用できる。また、帽子の鍔のシールド内の部分にも空気取り入れのマスクを配置し、そこにはファンをつけて、シールド内に新鮮な外気を送り込む様にすることで、死腔を減らして、呼吸への負担を軽減する。【選択図】図１
0003229578.tif 000002
【実用新案登録請求の範囲】
【請求項１】
ウィズ・コロナの時代に必需品であるマスクとフェイスシールドの機能を併せ持つ一体型の帽子。帽子の鍔部分に軽量で硬質のプラスチックを用いて、フェイスシールドを着脱できる状態で装着する。その側面には、二つ折れするプラスチックパーツを着脱できる。その部分は格子状になっていて間にマスク様の不織布を挟む事ができる。また、フェイスシールド部分と顔の間はシリコンゴムの部分を着脱でき、そのシリコンゴムは皮膚面に一定の幅を持って接触するようになっていると同時に、シールド内外の圧変化（呼吸時・くしゃみ時・咳嗽時など）の緩衝作用をもつ。
【請求項２】
帽子の鍔でフェイスシールド内側になる部分にも格子状のプラスチックに不織布を挟める構造にしている。その部の上部には軽量のファン部分がついている。これは、フェイスシールド内の空間（顔面とシールドの間）の空気を新鮮なものにするためで、フェイスシールドが死腔（通常死腔は呼吸器系の生理学で用いる用語であるが、呼吸したときに、吸い込む空気量で呼吸にあずからない部分の量をいう。通常であると鼻腔・気管・上位気管支で肺胞を含まない気道の部分の空気量で、呼吸に関して負荷になる。今回の考案では、フェイスシールド内で顔面の前にある空気量も死腔になるため、大きく呼吸することが必要になる。）を広げることになり、呼吸器に障害があると、ガス交換不良が起こる可能性がある。そのためファンで新鮮な外気をフェイスシールド内に送り込むことで、死腔を軽減することができる。また、その上面に保冷剤を乗せられる部分を作り、そこからある程度、温度が下がった空気が入ってくるように設計する。ウィズ・コロナの夏のマスクによる熱中症を予防する効果を期待できる。
【考案の詳細な説明】
【技術分野】
【０００１】  本考案はウィズ・コロナ時代におけるフェイスシールドとマスクを一体型にしたものである。
【背景技術】
【０００２】      ウィズ・コロナ時代にしばらくはマスクとフェイスシールドが必須であるが、マスクは夏の高温期には熱中症の原因になりかねず、また、聴覚障害者にとっては、マスクの使用は口の動きがわからずコミュニケーションの障害になる。元来マスクの意義は外気と人間の呼吸器の遮断にある。そうすれば、顔面全体を覆う透明シールドを作成し、側面にマスク機能を移動し、皮膚との間を弾力性あるもので密閉できれば、マスクの効果と目を守るシールドの効果を併せ持つ器具ができる。ただし、これは呼吸機能的には、死腔を増やす事になる。そのため、鍔の上のマスク部分に簡易ファンを取り付ける。そのファンで新鮮な外気をフェイスシールド内に取り込む様に工夫している。また、鍔の上の簡易ファンには保冷剤置き場を作り、冷気送風システムとすることで、高温下での作業中などでも、フェイスシールド内にやや温度が下がった外気が流入し、熱中症の予防に一助となる。
【考案の概要】
【考案が解決しようとする課題】
【０００３】      マスクは飛沫感染予防に必要であるが、口鼻を完全に覆わないと効果が落ちるが、夏の暑い時期はマスクをすることによる、口元の温度上昇が報告されており、熱中症の危険が増す。また、マスクは口鼻を覆ってしまうことから、口が表す表情によるコミュニケーションが阻害され、特に聴覚障害者では、口の動きがわからず、問題となる。また、フェイスシールドは今回の新型コロナウイルスが飛沫とともに目からも入ることが指摘されており、目も覆うことが必要である事から、ウィズ・コロナの接客業などでは必須になっているが、薄い素材が多く、きっちり消毒・洗浄しない限り使い捨てで大量のシールドが必要になる。その場合、費用的・環境的な問題になることもある。ある程度硬質のプラスチックで作成することで、洗って再利用が可能になる。また、顔全体を密閉し、覆うことでシールド効果を高める。問題は呼吸またはくしゃみ・咳嗽による圧変化で漏れが生じないことであるが、顔表面とフェイスシールドの接続は、伸縮性のある、シリコンゴムを使用することにより、またその形状を皮膚面とシールド部をＴ字型にすることにより、Ｔの横棒部が皮膚面密着性を高め、縦棒部がシールドの内外を分けることにより、ある程度の圧変化を吸収することができる。
【課題を解決するための手段】
【０００４】  マスクは従来、日本では防疫の観点で使用されている。今回の新型コロナ感染症では、マスクの効果が見直されており、各種営業の再開にも、マスクの着用が指示されているところである。しかし、日本の夏は暑く、マスク着用で過ごすことで熱中症を起こす危険性が指摘されている。本来マスクは外気と気道を含めた呼吸器を分離する事に意味がある。マスクの効果を考えると、鼻口を直接覆うのではなく、少し距離を開けて、閉鎖することにより、吸気（肺へ入っていく空気）の温度上昇を防ぐ可能性がある。そのため、その空間（本考案でシールド内で顔表面との空間）の空気をある程度冷やす（強く冷却すると、温度差で結露して、透明シールドが曇り視界を遮ることになる）ことで、熱中症を防ぐ。マスク部分は格子状のプラスチックになっていて、二つに折れる様になっている。その間にマスクに使用される不織布などを、そのサイズで作成し、挿入し、交換する事ができる。マスクとして、製造するより、単純なシート状にすることにより、生産が容易で増産が可能になり、次のパンデミック時にも、増産可能な体制を作り安い。また、顔とそれらフェイスシールドとマスク部分の接続にはシリコンゴムを使用したＴ字型の緩衝部分を作る。Ｔ字の横棒に相当する部分で皮膚面に接着性をよくして、縦棒部分が気密性を保つが、呼吸やくしゃみ・咳嗽による圧変化を吸収することができる。Ｔの下端部分が、フェイスシールドとマスクに接続する。
また、本考案は帽子と一体型の構成にしている。その帽子の鍔部分で、フェイスシールドの内側部分はやはり格子状のマスクになっており、その上に軽量のファンと保冷剤を乗せる事ができる構造にする。ファンは必須で呼吸生理学的な死腔を減らす事になるため、着用時には必ず電源を入れる。また、保冷剤を乗せることで、少し涼しくなった外気をファンでフェイスシールド内に送り込むことにより、夏の熱中症対策となる。
本考案は一般使用を念頭に置いており、帽子部、フェイスシールド部、マスク部・シリコンゴム部は分解できる構造にする。それは、１日１回丸洗いして、夜間陰干しすることにより清潔を保つ事ができる様にする。
医療用に使用する場合は、使い捨ても考慮するが、洗浄して使用することにより、パンデミック時の物資不足を招来しにくいと考える。
【考案の効果】
【０００５】  従来は別々のものを一体にした。また、一体にすることにより、使用法が簡便になり、一般に普及しやすくなると考える。また、ウィズ・コロナの夏のマスクによる熱中症対策になり、また、これをつけることで、手指消毒のみで、飲食しないところでの密集が可能になると考える。早急に製品化して、この夏にも使用することで、熱中症で亡くなる方を減らせるのではないかと考えている。
【図面の簡単な説明】
【０００６】
【図１】本考案の全体見取り図である。青色部はシリコンゴムを利用したシールドと顔面の接続部である。
【図２】本考案の帽子部である。正面図・側面図・下から見た図を示す。
【図３】本考案のフェイスシールド部である。正面図とやや後上方から見た見取り図を示す。
【図４】本考案のマスク部である。二つ折れ機構があり、不織布のマスク本体を挟むことができる。
【図５】本考案のシールド・マスクと顔面の接続部品である。Ｔ字型でＴの横棒部は顔面にフィットし、縦棒部がフェイスシールド内と外気を隔てる隔壁の機能を果たす。
【図６】本考案の後付けファン部である。帽子の鍔部分の上に固定できる様に設計する。ファンのモーター部と電池ボックスがついた１階部分がファンで、２階部分が保冷剤置き場になる。モーター・電池部を除き、全体が格子状のプラスチックでできている。
【考案を実施するための形態】
【０００７】  帽子部とフェイスシールド部は着脱式または一体型とする。マスク用の格子状プラスチック部分に不織布を挟み込み、フェイスシールドを差し込む。最後に、シールドと顔面の接続部シリコンゴムを取り付ける。
その上で、帽子をかぶるように、シールド・マスクをかぶり、シリコンゴムを伸ばしながら、顎の下まで覆うようにつける。
帽子につけたファンのスイッチでファンの電源を入れる。ただ、死腔を減らすために必要なファンであり重要であるので、スイッチの入れ忘れを防ぐ機構が必要かもしれない。必要に応じて、ファンの上部に保冷剤を乗せる。
【実施例】
【０００８】  朝起きて、外出前に洗顔して、顔表面の雑菌を除去する。その後、外出時に、格子状のマスク部のプラスチックに不織布を装着し、フェイスシールドに格子状プラスチックをつける。帽子をかぶる要領でフェイスガードをつけてその後、シリコンゴムで密着させる。大きく呼吸して、マスク部以外からの漏れがないか確認する。出かけて、満員電車でも手指消毒のみで、他は気にしないで電車に乗っていることが可能。
食事時・飲水時などは外す。帰宅後、分解して、不織布は廃棄して、他の部分を流水で流しながら洗浄する。そのときにファンは外しておく。翌日まで陰干しして、翌日乾燥していたら、再度使用可能となる。
【産業上の利用可能性】
【０００９】  特に、３密を避けながら営業する飲食店などの従業員に利用してもらう。マスク・シールドより口元が見えることにより、客の印象もよい。その後、ライブや音楽会などで、飲食を伴わない会場で密集する場所で使用を広げていく。音楽関連の場所での利用には、ファンの音をできるだけ小さくすることも必要であろう。
最終は、様々な臨床治験を行った上で、医療現場での利用も考える。使い捨て部分が、挟み込んだ不織布でできたマスク代用部分であるので、ランニングコスト面でも十分よい影響が出るはずである。また、パンデミックの際の物資不足を補う事ができる可能性がある。
【符号の説明】
【００１０】１．  帽子部分
２．  フェイスシールド
３．  マスク部分
４．  皮膚との密着性維持するシリコンゴムの接続部
５．  後付の保冷剤箱つきファン
【図１】
0003229578.tif 000003
【図２】
0003229578.tif 000004
【図３】
0003229578.tif 000005
【図４】
0003229578.tif 000006
【図５】
0003229578.tif 000007
【図６】
0003229578.tif 000008
【手続補正書】
【提出日】令和2年9月2日(2020.9.2)
【手続補正１】
【補正対象書類名】実用新案登録請求の範囲
【補正対象項目名】請求項１
【補正方法】変更
【補正の内容】
【請求項１】
ウィズ・コロナの時代に必需品である、マスクとフェイスシールドの機能を併せ持つ一体型の帽子。
【手続補正２】
【補正対象書類名】実用新案登録請求の範囲
【補正対象項目名】請求項２
【補正方法】変更
【補正の内容】
【請求項２】
帽子の鍔でフェイスシールド内側になる部分にも格子状のプラスチックに不織布を挟める構造にして、その部の上部には軽量の送風機をつけた請求項１に記載の帽子。